(57)【要約】      （修正有）【課題】アッパーと靴底とがファスナーで交換可能な靴において、着用者が足をファスナーに接触させることなく履くことができる靴を提供する。【解決手段】靴は、靴底２とアッパー３とファスナーとを主要な構成として備える。靴底の周縁にはファスナーの下側エレメント４Ｂが設けられ、アッパーの下縁には上側エレメント４Ａが設けられ、靴底とアッパーとがファスナーによって分離可能に接合される。靴底は上面に被覆層部を有し、その周縁の全部又は一部に、ファスナーとの接触を回避するための凸部５ａが形成されている。【選択図】図２
0003198787.tif 000002
【実用新案登録請求の範囲】
【請求項１】
靴底とアッパーとの周囲がファスナーによって分離可能に接合されている靴であって、
前記靴底は、上面に被覆層部を有し、
前記被覆層部の周縁の全部又は一部に、前記ファスナーとの接触を回避する凸部が形成されていることを特徴とする靴。
【請求項２】
前記凸部は、上縁が、前記靴底側に取り付けられる前記ファスナーの下側エレメント上縁より上方に位置する、請求項１記載の靴。
【請求項３】
前記被覆層部は、前方に足先を覆う被覆部を更に備える、
請求項１または２記載の靴。
【請求項４】
前記靴底は、前部に左右にまたがって、前記靴底との間に足先が挿入可能である帯状部が設けられている、請求項１または２記載の靴。
【請求項５】
前記ファスナーは、端部が一定の隙間を存するように設けられ、靴底とアッパーとの周囲がファスナーによって分離可能に接合された状態で、下止めとスライダーとが離れている請求項１乃至４のいずれか１項に記載の靴。
【請求項６】
前記ファスナーの上側エレメントのテープ部は、前記アッパーを構成する外材と内材との間に挟まれている、請求項１乃至５のいずれか１項に記載の靴。
【請求項７】
前記ファスナーは、ファスナーの表面が靴の外側に位置し、ファスナーの裏面が靴の内側に位置するように配置されている、請求項１乃至６のいずれか１項に記載の靴。
【請求項８】
前記ファスナーは、表面に縫い目のないファスナーである、請求項７に記載の靴。
【請求項９】
前記ファスナーは、撥水性を有する樹脂ファスナーあるいはプラスチックファスナーである、請求項１乃至８のいずれか１項に記載の靴。
【考案の詳細な説明】
【技術分野】
【０００１】
本考案は、アッパーと靴底とが分離可能である靴に関するものである。
【背景技術】
【０００２】
色々な様々なデザインや形状に従って使用者が彼らの靴をカスタマイズできることから、分離された、複数のアッパーと複数の靴底を用い、交換可能な靴が提案されている（例えば、特許文献１参照）。
【０００３】
そして、アッパーが靴底にしっかりと取付けられるようにするため、それらはファスナーを用いて交換可能に結合されている。
【先行技術文献】
【特許文献】
【０００４】
【特許文献１】特表２０１０ー５２３１７４号公報
【考案の概要】
【考案が解決しようとする課題】
【０００５】
前述した公報記載の靴は、前記上部が靴底にしっかりと取り付けられるようにするため、それらをファスナーを用いて結合しているので、足がファスナーに接触し、履き心地が悪くなるおそれがある。
【０００６】
本考案は、着用者が、足をファスナーに接触させることなく履くことができる靴を提供することを目的とする。
【課題を解決するための手段】
【０００７】
本考案に係る一の態様の靴は、靴底とアッパーとの周囲がファスナーによって分離可能に接合されている靴であって、前記靴底は、上面に被覆層部を有し、前記被覆層部の周縁の全部又は一部に、前記ファスナーとの接触を回避する凸部が形成されていることを特徴とする。
【０００８】
このようにすれば、被覆層部の周縁の全部又は一部に形成される凸部によって、着用者の足が、靴底とアッパーとを接合するファスナーと接触するのが回避され、着用者の履き心地を損なうことがない。
【０００９】
好ましくは、前記凸部は、上縁が、前記靴底側に取り付けられる前記ファスナーの下側エレメントの上縁より上方に位置する、ことが望ましい。
【００１０】
このようにすれば、ファスナーとの接触が確実に回避される。
【００１１】
また、前記被覆層部は、前方に足先を覆う被覆部を更に備える構成としてもよい。
【００１２】
このようにすれば、歩行時における靴の強度向上が図れる。
【００１３】
また、前記靴底は、前部に左右にまたがって、前記靴底との間に足先が挿入可能である帯状部が設けられている、構成とすることができる。
【００１４】
このようにすれば、足先が靴底に帯状部にて確実に保持されるので、アッパーの厚さを薄くすることなどができ、軽量化が図れる。
【００１５】
また、前記ファスナーは、端部が一定の隙間を存するように設けられ、靴底とアッパーとの周囲がファスナーによって分離可能に接合された状態で、下止めとスライダーとが離れている、ことが望ましい。
【００１６】
このようにすれば、下止めとスライダーとが離れているので、靴底とアッパーとを接合した状態でも、それらの部分の変形が容易で履き心地を損なうことがない。
【００１７】
また、前記ファスナーの上側エレメントのテープ部は、前記アッパーを構成する外材と内材との間に挟まれている、ことが望ましい。
【００１８】
このようにすれば、ファスナーとの接触が確実に回避される。
【００１９】
また、前記ファスナーは、ファスナーの表面が靴の外側に位置し、ファスナーの裏面が靴の内側に位置するように配置されている、ことが望ましい。
【００２０】
このようにすれば、ファスナーの裏面が靴の外側に露出するので、見栄えがよい。ファスナーの裏面は表面に比べて凹凸が少ないためである。
【００２１】
また、前記ファスナーは、表面に縫い目のないファスナーとしてもよい。
【００２２】
このようにすれば、靴の美観が向上する。
【００２３】
また、前記ファスナーは、撥水性を有する樹脂ファスナーあるいはプラスチックファスナーである、ことが望ましい。
【００２４】
このようにすれば、アウトドア用品に付けざるをえなかったファスナー部分のフラップが必要なくなり，デザイン性を高めることができる。
【考案の効果】
【００２５】
本考案は、被覆層部の周縁の全部又は一部に形成される凸部によって、靴底とアッパーとを接合するファスナーとの接触を回避することができるので、履き心地を損なうことがない。よって、通常の靴と同様な履き心地を確保することができる。
【図面の簡単な説明】
【００２６】
【図１】本考案の一実施の形態に係る靴の全体を示す側面図である。
【図２】前記靴を分離した状態を示し、（ａ）はアッパーの側面図、（ｂ）は靴底の側面図である。
【図３】図２（ｂ）のＡ−Ａ線における断面図である。
【図４】前記靴底を上側から見た斜視図である。
【図５】ファスナーの端部を、靴の内側から見た図である。
【図６】図１の靴と別のアッパーを取り付けた靴を示す図である。
【図７】被覆層部を変更した靴底の変形例を示す図である。
【図８】被覆層部を変更した靴底の変形例を示す図である。
【図９】ファスナーを変更した靴の変形例を示す図である。
【図１０】帯状部を設けた靴底の変形例を示す図である。
【考案を実施するための形態】
【００２７】
以下、本考案の実施の形態を図面に沿って説明する。
【００２８】
図１は本考案の一実施の形態に係る靴の全体を示す側面図、図２は前記靴を分離した状態を示し、（ａ）はアッパーの側面図、（ｂ）は靴底の側面図である。図３は図２（ｂ）のＡ−Ａ線における断面図である。
【００２９】
本考案に係る靴１は、靴底２とアッパー３との周囲がファスナー４によって分離可能に接合されている。接合状態では、靴底２とアッパー３とがしっかりと接合され、靴底２とアッパー３とが一体に形成され、外見上通常の靴と同様である。なお、ファスナー４は、撥水性を有する樹脂ファスナーあるいはプラスチックファスナーであり（例えば、ＹＫＫ株式会社の「アクアガード（登録商標）」）、周知のように、上側および下側エレメント４Ａ，４Ｂ、下止め４Ｃ、スライダー４Ｄを有する。
【００３０】
靴底２は、図２に示すように、上面に被覆層部５を有する。この被覆層部５の周縁の全部（あるいは一部であってもよい）に、ファスナー４との接触を回避する凸部５ａが形成されている。この凸部５ａによって、着用者の足が、靴底２とアッパー３とを接合するファスナー４と接触するのが回避されるようになっている。
【００３１】
しかも、凸部５ａは、上縁が、靴底２側に取り付けられるファスナー４の下側エレメント４Ｂ上縁より上方に位置するように形成され、通常の着用状態では、着用者の足が、靴底２とアッパー３とを接合するファスナー４と接触しない。
【００３２】
ここで、靴底２は、運動靴として、カジュアル靴として、かかとのある靴として、またはその他の目的のために使用されるように適合され得る。また、様々なタイプのトレッドパターンを適用可能であり、望ましいいかなる材料からも製造可能であり、望まれる外観および色を提供するように成形され得る。靴底２は、本技術分野で周知の様々な材料によって製造され得る。
【００３３】
ファスナー４は、上側および下側エレメント４Ａ，４Ｂの端部が一定の隙間Ｓを存するように設けられ、靴底２とアッパー３との周囲がファスナー４によって分離可能に接合された状態（例えば図１（ａ）参照）で、下止め４Ｃとスライダー４Ｄ（胴体）とが離れるようになっている。それらの部分の変形が容易で、着用者の履き心地を損なわないようになっている。
【００３４】
ファスナー４の上側エレメント４Ａのテープ部は、具体的に図示していないが、アッパー３を構成する外材と内材との間に挟まれている。よって、上側エレメント４Ａのテープ部との直接接触が回避される。なお、アッパー３を構成する外材と内材とは、例えば布、プラスチック、合成材料、皮、織物等の、本技術分野で周知の様々な材料から製造され得る。
【００３５】
上記靴１によれば、図１に示すアッパー３を靴底２からファスナー４を利用して取り外し、別のアッパー３Ａを、ファスナー４を用いて分離可能に接合すれば、靴底２は同じであっても、図６に示すように、外観上、別の靴１Ａとすることができる。
【００３６】
しかも、着用者の足が、靴底２とアッパー３とを接合するファスナー４に直接に接触することなく、被覆層部５の周縁に形成される凸部５ａに接触することになるので、ファスナー４との直接接触が回避される。よって、着用者は、通常の靴を履いているのと変わりなく、履き心地を損なうことがない。
【００３７】
凸部５ａは、それの上縁が、靴底２側に取り付けられるファスナー４の下側エレメント４Ｂの上縁より上方に位置するようにしているので、着用者の足がファスナー４（上側および下側エレメント４Ａ，４Ｂ）に直接接触するのが確実に回避される。
【００３８】
ファスナー４の各エレメント４Ａ，４Ｂは、端部が一定の隙間を存するようにアッパー３および靴底２に設けられているので、靴底２とアッパー３との周囲がファスナー４によって分離可能に完全に接合された状態（着用者が靴を着用する状態）で、下止め４Ｃとスライダー４Ｄ（胴体）が離れていることになるので、それらの間に一定の隙間が存することで、靴底２とアッパー３とを接合した状態でも、足の動きに合わせてそれらの部分が容易に変形することができる。よって、着用者は、通常の靴を履いているのと同様な履き心地となり、履き心地を損なわない。
【００３９】
ファスナー４の上側エレメント４Ａのテープ部は、アッパー３を構成する外材と内材との間に挟まれているので、着用者の足は前記内材と接触することとなり、上側エレメント４Ａのテープとの直接接触が回避され、着用者は、通常の靴を履いているのと同様な履き心地でもって着用することができる。
【００４０】
特に、ファスナー４は、撥水性を有する樹脂ファスナーあるいはプラスチックファスナーを採用しているので、従来、アウトドア用品に付けざるをえなかったファスナー部分のフラップが必要なくなり，デザイン性を高めることができる。
【００４１】
（変形例）
次に、上記実施形態の靴の変形例について説明する。図７は、被覆層部５の形状を変更した靴底１０を示す図である。図８は、被覆層部５を変更した靴底２０を示す図である。図９は、ファスナーを変更した靴３０を示す図である。図１０は、帯状部を設けた靴底４０を示す図である。
【００４２】
図７に示すように、靴底１０は、上面に被覆層部１１を有する。この被覆層部１１の周縁の全部に、ファスナー１２との接触を回避する凸部１１ａが形成されている。この凸部１１ａは、周縁の内側の形状が丸みを帯びた形状であり、着用者の足の周りを包むような構成としている。これにより、足のフィット感が増し、履き心地がよく、また足のズレを防止する。
【００４３】
図８に示すように、靴底２０は、ベルトを有さず、上面に被覆層部２１を有する。この被覆層部２１の周縁の全部に、ファスナー２２との接触を回避する凸部２１ａが形成されている。この凸部２１ａは、周縁の内側の形状が丸みを帯びた形状であり、着用者の足の周りを包むような構成としている。更に、被覆層部２１の前方には、着用者の足先を覆う被覆部２１ｂが形成されている。これにより、足のフィット感が増し、履き心地がよく、また足のズレを防止する。更に被覆部２１ｂにより、着用者の足先の上下動が抑制されるので、靴底２０とこれに取り付けられるアッパー（図示せず）の接合強度が向上される。
【００４４】
図９に示すように、靴３０は、ファスナー３１を有する。ファスナー３１は、表面に縫い目のないファスナーである。この靴３０は、例えばフォーマルな靴やビジネス用の靴などに適する。
【００４５】
図１０に示すように、靴底４０は、前部に、左右にまたがって、靴底４０上面との間に着用者の足先が挿入可能である帯状部４６が設けられた靴底である。なお、この帯状部４６と靴底４０の被覆層部４５との間に着用者が足先を挿入することで、サンダルを履いたときのように着用者の足が靴底４０にしっかりと保持される。よって、アッパーに着用者の足を保持する機能を求める必要がなくなり、アッパーの厚さを薄くすることなどが可能となり、軽量化を図れる。
【００４６】
本考案は、前述した実施の形態に制限されることなく、実用新案登録請求の範囲に記載の範囲内で、適宜変更して実施することができるのはもちろんである。
【符号の説明】
【００４７】
１  靴
２  靴底
３  アッパー
４  ファスナー
４Ａ  上側エレメント
４Ｂ  下側エレメント
４Ｃ  下止め
４Ｄ  スライダー
５  被覆層部
５ａ  凸部
１０  靴底
１１  被覆層部
１１ａ  凸部
１２  ファスナー
２０  靴底
２１  被覆層部
２１ａ  凸部
２１ｂ  被覆部
２２  ファスナー
３０  靴
３１  ファスナー
４０  靴底
４６  帯状部
【図１】
0003198787.tif 000003
【図２】
0003198787.tif 000004
【図３】
0003198787.tif 000005
【図４】
0003198787.tif 000006
【図５】
0003198787.tif 000007
【図６】
0003198787.tif 000008
【図７】
0003198787.tif 000009
【図８】
0003198787.tif 000010
【図９】
0003198787.tif 000011
【図１０】
0003198787.tif 000012